(57)【特許請求の範囲】
【請求項１】
海底面に設置され、防水機能を有するフレキシブルな材質からなり、内部は流体で満たすことができるボディと、
前記ボディの一側の高さと前記一側の向かい側の他側の高さが互いに異なるように作動する高さ調節部と、
前記ボディを前記海底面に固定させる固定部と、を備え、
前記ボディの内部に備えられた隔壁により、前記ボディの内部は、複数のチューブに分けられ、
前記高さ調節部は、前記複数のチューブのそれぞれに流入されるか、または流出される流体の量を調節する流体調節部と、前記チューブに流体を流入させるか、または流出させるポンプと、を含むことを特徴とする波高調節装置。
【請求項２】
海岸に近い前記ボディの一側が前記ボディの他側に比べて高い場合に、前記ボディは、波の高さを高めることを特徴とする請求項１に記載の波高調節装置。
【請求項３】
海岸に近い前記ボディの一側が前記ボディの他側に比べて低い場合に、前記ボディは、波の高さを低くすることを特徴とする請求項１に記載の波高調節装置。
【請求項４】
前記チューブのそれぞれの内側面に備えられ、前記チューブの圧力をセンシングする圧力センサをさらに含むことを特徴とする請求項１に記載の波高調節装置。
【請求項５】
前記高さ調節部は、
前記ボディの一側の内部に備えられた第１ピストン部と、前記ボディの他側の内部に備えられた第２ピストン部と、前記第１ピストン部及び前記第２ピストン部のそれぞれに流入されるか、または流出される流体の量を調節する流体調節部と、を含むことを特徴とする請求項１から請求項３のうちのいずれか一項に記載の波高調節装置。
【請求項６】
前記第１ピストン部の高さと前記第２ピストン部の高さが異なる場合に、前記ボディの内部に流体が流入することを特徴とする請求項５に記載の波高調節装置。
【請求項７】
前記ボディの内部に前記流体の流入による前記ボディの内部の圧力をセンシングする圧力センサが備えられることを特徴とする請求項６に記載の波高調節装置。
【請求項８】
前記ボディの外側面のうち波が近づく方向の外側面領域に設置された圧電素子をさらに含むことを特徴とする請求項６に記載の波高調節装置。
【請求項９】
前記高さ調節部の第１プレート及び第２プレートを含み、
前記第１プレートは、前記ボディの内部に備えられ、
前記第２プレートは、前記ボディの内部に備えられ、前記第１プレートとヒンジ接続されて前記第１プレートに対して回転することを特徴とする請求項１に記載の波高調節装置。
【発明の詳細な説明】
【技術分野】
【０００１】
本発明は、波高調節装置に関する。
【背景技術】
【０００２】
最近になってサーフィンのようなマリンスポーツを楽しむ人が増加している。マリンスポーツの楽しさを感じるためには、一定のレベルの波が必要であるが、国内にはこのような高さの波をいつも楽しむことができる海辺が多くない。
さらに、波の高さが高くても、波の高さを適正に調整することができないため、安全の問題が発生する。
一方、自然の憧れが深まるに従って海岸に施設や建物を建てる場合が多くなっている。特に、釜山のような大都市の場合に、高層ビルが海岸の近くに位置しているため、台風や嵐が発生したとき、波が建物を破壊するか、または人口密集地域まで影響を与える恐れがある。
これにより、海岸の波が過度に高くなることを防止することができる装置に対する必要が増加している。
【先行技術文献】
【特許文献】
【０００３】
【特許文献１】大韓民国特許登録第１０−１３５８７６６号公報。
【発明の概要】
【発明が解決しようとする課題】
【０００４】
本発明の実施形態に係る波高調節装置は、マリンスポーツや海遊びのため一定の高さの波を発生させるためのものである。
本発明の実施形態に係る波高調節装置は、海岸の波の高さを低くすることで、高い波による海岸の施設、建物や人などを保護するためのものである。
本出願の課題は、以上で言及した課題に制限されず、言及されていない他の課題は次の記載から、通常の技術者であれば、明確に理解することができる。
【課題を解決するための手段】
【０００５】
本発明の一側面によると、海底面に設置され、防水機能を有するフレキシブルな材質からなり、内部は流体で満たすことができるボディと、前記ボディの一側の高さと、前記一側の向かい側の他側の高さが互いに異なるように作動する高さ調節部と、前記ボディを前記海底面に固定させる固定部と、を含む波高調節装置を提供する。
海岸に近い前記ボディの一側が前記ボディの他側に比べて高い場合に、前記ボディは、波の高さを高くすることができる。
海岸に近い前記ボディの一側が前記ボディの他側に比べて低い場合に、前記ボディは、波の高さを低くすることができる。
前記ボディの内部に備えられた隔壁により、前記ボディの内部は、複数のチューブに分けられ、前記高さ調節部は、前記複数のチューブのそれぞれに流入、または流出される流体の量を調節する流体調節部と、前記チューブに流体を流入、または流出させるポンプと、を含むことができる。
【０００６】
本発明の一側面による波高調節装置は、前記チューブのそれぞれの内側面に備えられ、前記チューブの圧力をセンシングする圧力センサをさらに含むことができる。
前記高さ調節部は、前記ボディの一側の内部に備えられた第１ピストン部と、前記ボディの他側の内部に備えられた第２ピストン部と、前記第１ピストン部及び前記第２ピストン部のそれぞれに流入、または流出される流体の量を調節する流体調節部と、を含むことができる。
【０００７】
前記第１ピストン部の高さと前記第２ピストン部の高さが異なる場合に、前記ボディの内部に流体が流入することができる。
前記ボディの内部に、流体の流入による前記ボディの内部の圧力をセンシングする圧力センサを備えることができる。
本発明の一側面による波高調節装置は、ボディの外側面のうち前記波が近づく方向の外側面領域に設置された圧電素子をさらに含むことができる。
【０００８】
前記高さ調節部は、第１プレートと第２プレートとを含み、前記第１プレートは、前記ボディの内部に備えられ、前記第２プレートは、前記ボディの内部に具備され、前記第１プレートとヒンジ接続されて前記第１プレートに対して回転することができる。 
【発明の効果】
【０００９】
本発明の実施形態に係る波高調節装置は、海底面に設置されたボディの一側と他側の高さを異なるようにすることで、マリンスポーツや海遊びのため一定の高さの波を発生させることができる。
本発明の実施形態に係る波高調節装置は、海底面に設置されたボディの一側と他側の高さを異なるようにすることで、海岸の波の高さを低くして、高い波による海岸の施設や建物や人などを保護することができる。
本出願の効果は、以上で言及した効果に制限されず、言及されていない他の効果は次の記載から通常の技術者であれば、明確に理解することができる。
【図面の簡単な説明】
【００１０】
【図１ａ】本発明の実施形態に係る波高調節装置の動作を示す図である。
【図１ｂ】本発明の実施形態に係る波高調節装置の動作を示す図である。
【図２】本発明の実施形態に係る波高調節装置のブロック図である。
【図３】本発明の他の実施形態に係る波高調節装置のブロック図である。
【図４】本発明のまた他の実施形態に係る波高調節装置のブロック図である。
【発明を実施するための形態】
【００１１】
以下、本発明の実施形態については添付した図面を参照して、詳細に説明する。ただし、添付された図面は、本発明の内容をより容易に開示するために説明されているものであり、本発明の範囲が添付された図面の範囲に限定されないことは、この技術分野の通常の知識を有する者であれば容易に理解することができる。
【００１２】
また、本出願で使用した用語は、単に特定の実施形態を説明するために使用されたもので、本発明を限定する意図ではない。本明細書で、単数として使われた用語は、それについての単数であることを示す明白な背景に関する言及がない限り、複数も含むものである。
【００１３】
本明細書で使われる「包含する」または「有する」などの用語は、言及された特徴、数字、段階、動作、構成要素、部品またはこれらの組み合わせが、一つまたはそれ以上の他の特徴、数字、段階、動作、構成要素、部品またはこれらの組み合わせの存在または付加を除外するものではない。
図１ａ及び図１ｂは、本発明の実施形態に係る波高調節装置の動作を示す図である。図１ａに示すように、本発明の実施形態に係る波高調節装置は、ボディ１１０を含んでいる。
【００１４】
ボディ１１０は、海底面に設置され、防水機能を有するフレキシブルな材質からなり、ボディ１１０の内部は流体で満たすことができる。例えば、ボディ１１０は、防水能力を有するビニールやゴムなどからなるか、または柔軟なコア部の材質の表面がゴムや防水物質によりコーティングされてもよい。
【００１５】
またはボディ１１０にしわを形成することができ、流体の流入、または後に説明されるピストン部の動作によってボディ１１０の高さが変わることができる。これについては以後、図面を参照して詳細に説明する。
しかし、前記ボディ１１０の材質と構造は、これに限定されるものではない。
【００１６】
図１ａ及び図１ｂに示されたように、ボディ１１０の一側と、一側の向かい側のボディ１１０の他側の高さは互いに変わることができる。このとき、ボディ１１０の一側は、ボディ１１０の他側に比べて海岸に近い。
図１ａに示されたように、海岸に近いボディ１１０の一側の高さがボディ１１０の他側の高さに比べて高い場合に、海岸に接近する波の高さが大きくなることができる。
海の波は、塩瀬、風、潮差などのエネルギー源として発生する。海で発生した波のエネルギーは、海辺に伝達され、海辺に到着した波のエネルギーは、海底面に伝達されなかったエネルギーが垂直方向に伝達されて波高を高める。
【００１７】
このとき、図１ａのように、本発明の実施形態に係る波高調節装置は、波のエネルギーを垂直方向に伝達することにより、波高を増加させることができる。このように本発明の実施形態に係る波高調節装置は、緩やかな水深の海岸のように、波が不足した海岸に設置して、サーフィンのようなマリンスポーツや海遊びのため一定の高さの波を発生させることができる。
【００１８】
一方、図１ｂに示したように、本発明の実施形態に係る波高調節装置は、波の高さを低める役割を果たすことができる。このために、海岸に近いボディ１１０の一側がボディ１１０の他側に比べて低くなることができる。これにより、海岸に押し寄せる波のエネルギーがボディ１１０の他側にぶつかって分散されることで、波の高さが低くなることができる。
このように、本発明の実施形態に係る波高調節装置は、海岸の波の高さを低めることによって、高い波による海岸の施設や建物や人などを保護することができる。
【００１９】
図２は、本発明の実施形態に係る波高調節装置のブロック図を示し、図３は、本発明の他の実施形態に係る波高調節装置のブロック図を示す。
図２及び図３に示したように、本発明の実施形態に係る波高調節装置は、高さ調節部１３０と、固定部１５０と、を含んでいる。
高さ調節部１３０は、ボディ１１０の一側の高さと一側の他側の高さが互いに異なるように作動する。高さ調節部１３０は、図２に示したように、ボディ１１０に形成されたチューブ１１１に流体を流入、または流出させることができる。また、図３に示したように、高さ調節部１３０のピストン部はボディ１１０の内部に備えられてボディ１１０の一側及び他側の高さを調節することができる。
【００２０】
前記高さ調節部１３０の構成については、後に詳細に説明する。
固定部１５０は、ボディ１１０を海底面に固定させる。固定部１５０は、ダイバーの手作業により海底面に固定することができ、モータにより鋲やスクリューを回転させることで固定部１５０を海底面に固定することもできる。このように、固定部１５０の構造と動作は、これに限定されない。
図２に示したように、ボディ１１０の内部に備えられた隔壁によりボディ１１０の内部は、複数のチューブ１１１に分けられる。このとき、高さ調節部１３０は、複数のチューブ１１１のそれぞれに流入、または流出される流体の量を調節する流体調節部１７０と、チューブ１１１に流体を流入、または流出させるポンプ１９０と、を含むことができる。
【００２１】
流体調節部１７０はバルブを含むことができ、バルブはチューブ１１１ごとに連通された流路２１０を備えることができる。制御部２３０は、制御信号を介して各バルブの開閉量と共に、ポンプ１９０の動作を制御することができる。これによって、各チューブ１１１に流入、または流出される流体の量を制御することができ、ボディ１１０の一側と他側の高さが変わることができる。
一方、本発明の実施形態に係る波高調節装置は、圧力センサ２５０をさらに含むことができる。圧力センサ２５０は、チューブ１１１のそれぞれの内側面に備えられてチューブ１１１の圧力をセンシングすることができる
圧力センサ２５０から出力されたセンシング信号は、制御部２３０に入力され、制御２３０は、センシング信号に応じてバルブの開閉量とポンプ１９０の動作を制御することができる。例えば、チューブ１１１の圧力が設定された最大圧力に到達すれば、制御部２３０は、ポンプ１９０の動作を停止するか、または該当チューブ１１１の流体調節部を閉めることができる。
【００２２】
または、各チューブ１１１の圧力によるチューブ１１１の高さに対するプロファイル（ｐｒｏｆｉｌｅ）やバルブの開閉量によるチューブ１１１の高さに対するプロファイルを、制御部２３０のメモリ部（図示せず）に格納することができ、制御部２３０は、前記プロファイルを読み出してセンシング信号に応じてバルブの開閉量を調節することによって、ボディ１１０の形状を所望のとおり変形させることができる。
一方、図３に示したように、高さ調節部１３０は、第１ピストン部２７０と、第２ピストン部２９０と、流体調節部１７０と、ポンプ１９０と、を含むことができる。第１ピストン部２７０は、ボディ１１０の一側の内部に備えることができる。第２ピストン部２９０は、ボディ１１０の他側の内部に備えることができる。第１ピストン部２７０及び第２ピストン部２９０の両側はボディ１１０の内側面に固定されている。
流体調節部１７０は、第１ピストン部２７０及び第２ピストン部２９０のそれぞれに流入、または流出される流体の量を調節することができる。図３の流体調節部１７０もバルブを含むことができ、バルブは、複数のピストン部のそれぞれに接続された流路２１０に備えることができる。第１ピストン部２７０及び第２ピストン部２９０は、油圧または空気圧によって駆動される。
【００２３】
第１ピストン部２７０と第２ピストン部２９０との間に第３ピストン部３１０を設置することもできる。第３ピストン部３１０と接続された流路２１０にもバルブを備えることができる。このとき、波の高さを調節するために、第１ピストン部２７０の高さと第２ピストン部２９０の高さが異なることができる。たとえば、第３ピストン部３１０の高さは、第１ピストン部２７０及び第２ピストン部２９０の高さのうちのいずれかより高く、他のピストン部より低い。これによって、ボディ１１０の高さが自然に変化される。
バルブの開閉量によるボディ１１０の一側及び他側の高さに対するプロファイルを制御部２３０のメモリ部（図示せず）に格納することができ、制御部２３０は、前記プロファイルを読み出してセンシング信号に応じてバルブの開閉量を調節して、ボディ１１０の形状を所望すのとおり変形させることができる。
【００２４】
一方、第１ピストン部２７０の高さと第２ピストン部２９０の高さが異なる場合に、すなわち、本発明の実施形態に係る波高調節装置が波の高さを高くするか、または低くする場合に、ボディ１１０の内部に空気や水のような流体が流入する。このために、図３に示したように、ボディ１１０の内部に流体を供給する流路２１０が備えられ、前記流路２１０にもバルブを備えることができる。
このように、第１ピストン部２７０乃至第３ピストン部３１０の高さが変わるときに、ピストン部とピストン部との間の空間が流体で満たされなければ、ボディ１１０の形状を所望の形状に維持することが困難になる。したがって、ボディ１１０に流体を流入させることによって、ボディ１１０の形状を維持させることができる。
【００２５】
一方、ボディ１１０の内部には、流体の流入によるボディ１１０の内部の圧力をセンシングする圧力センサ２５０を備えることができる。ボディ１１０の内部に流体が流入して流体の内部の圧力が、設定の基準圧力より高くなる場合には、ボディ１１０が破損する恐れがある。これを防止するために、制御部２３０に圧力センサ２５０のセンシング信号が入力されて、バルブやポンプ１９０の動作を制御することができる制御信号を出力することができる。
本発明の実施形態に係る波高調節装置は、圧電素子３３０をさらに含むことができる。圧電素子は、ボディ１１０の外側面の全体領域の中で波が近づく方向の外側面の領域に設置することができる。
【００２６】
前記圧電素子３３０は、波による圧力が加えられて、圧力を電気エネルギーに変換することができる。すなわち、圧電素子３３０は、エネルギーハーベスティング（ｈａｒｖｅｓｔｉｎｇ）機能を実行することができる。圧電素子３３０が出力した電気的エネルギーは、整流部（図示せず）やコンバータ（図示せず）などを介して直流または交流電気に変換することができる。
このように変換された直流電気または交流電気は有線で、地上の電力網に送電されるか、またはバッテリーなどに格納される。
【００２７】
図４は、本発明のまた他の実施形態に係る波高調節装置のブロック図を示す。高さ調節部１３０は、第１プレート（ｐｌａｔｅ）４１０と、第２プレート４３０と、流体調節部１７０と、ポンプ１９０と、を含むことができる。第１プレート４１０は、ボディ１１０の内部に備えることができる。第２プレート４３０は、ボディ１１０の内部に備えられ、第１プレート４１０とヒンジ接続されて第１プレート４１０に対して回転することができる。
このとき、第２プレート４３０が駆動モータ（図示せず）の動作に応じて回転することによって、ボディ１１０の一側の高さを調節することができる。第１プレート４１０と第２プレート４３０の材質は鉄からなることができるが、これに限定されず、海底の水圧及びボディ１１０の重量を耐えることができる様々な材料からなることができる。
【００２８】
流体調節部１７０は、ボディ１１０の内部に流入、または流出される流体の量を調節することができる。図４の流体調節部１７０もバルブを含むことができ、バルブは、ボディ１１０の内部に接続された流路２１０に備えることができる。流路２１０は、流体の流入と流出のためのポンプ１９０が接続されている。
このように、第２プレート４３０の回転に応じてボディの一側の高さが上昇する場合に、海底の水圧に応じてボディ１１０の形状の維持が困難になることができる。流体調節部１７０は、流体をボディの内部に流入させることによって、水圧によるボディ１１０の変形を防止することができる。
一方、ボディ１１０の内部には、流体の流入によるボディ１１０の内部の圧力をセンシングする圧力センサ２５０を備えることができる。これについては先に詳細に説明したので、これに対する説明は省略する。
【００２９】
本発明の実施形態に係る波高調節装置は、圧電素子３３０をさらに含むことができる。圧電素子３３０についても先に詳細に説明したので、これに対する説明は省略する。
図４の波高調節装置のように、第１プレート４１０と第２プレート４３０のヒンジ接続部分がボディ１１０の他側に備えられる場合に、ボディ１１０の他側がボディ１１０の一側に比べて、水深が深いところに位置することができる。この場合に、第２プレート４３０の回転によって、本発明のまた他の実施形態に係る波高調節装置は、波の高さを高める役割を果たすことができる。
【００３０】
逆に、ボディ１１０の他側がボディ１１０の一側に比べて水深が浅いところに位置することができる。この場合に、第２プレート４３０の回転によって、本発明のまた他の実施形態に係る波高調節装置は、波の高さを低める役割を果たすことができる。
以上のように、本発明に係る実施形態を説明したが、先に説明した実施形態の以外にも、本発明は、その趣旨または範疇から逸脱することなく、他の特定の形態に具体化することができるという事実は、当該技術に通常の知識を有する者において自明である。したがって、上述の実施形態は、限定的なものではなく、例示的なものとして考慮されるべき、これに応じて、本発明は、上述した説明に限定されず、添付された請求項の範疇及びその均等の範囲内で変更することも可能である。 
【符号の説明】
【００３１】
１１０  ボディ
１１１  チューブ
１３０  高さ調節部
１５０  固定部
１７０  流体調節部
１９０  ポンプ
２１０  流路
２３０  制御部
２５０  圧力センサ
２７０  第１ピストン部
２９０  第２ピストン部
３１０  第３ピストン部
４１０  第１プレート
４３０  第２プレート
【図１ａ】
0006713181.tif 000002
【図１ｂ】
0006713181.tif 000003
【図２】
0006713181.tif 000004
【図３】
0006713181.tif 000005
【図４】
0006713181.tif 000006